(57)【要約】【課題】排出トレイを排出口に収納した際に、補助トレイがガタつくのを抑制することができるプリンタを提供する。【解決手段】排出口１２を有する筐体６と、排出口１２の周縁部に配置された第１の回転軸２０を中心に、排出口１２を覆うように排出口１２に収納される収納姿勢と排出口１２を開放するように排出口１２から筐体６の外部に延びる開放姿勢との間を回転する排出トレイ１４と、排出トレイ１４に配置された第２の回転軸２８を中心に、排出トレイ１４に折り畳まれる第１の折り畳み姿勢と排出トレイ１４から筐体６の外部に延びる第１の延長姿勢との間を回転する補助トレイ１６と、排出トレイ１４を開放姿勢に保持するための保持部２６であって、排出トレイ１４が収納姿勢に配置された状態で第１の折り畳み姿勢に配置された補助トレイ１６を押さえることにより、補助トレイ１６を第１の折り畳み姿勢に保持する保持部２６と、を備える。【選択図】図４
2015205432.tif 000002
【特許請求の範囲】
【請求項１】
記録媒体に印刷を行うためのプリンタであって、
前記記録媒体を外部に排出するための排出口を有する筐体と、
前記排出口の周縁部に配置された第１の回転軸を中心に、前記排出口を覆うように前記排出口に収納される収納姿勢と前記排出口を開放するように前記排出口から前記筐体の外部に延びる開放姿勢との間を回転する排出トレイと、
前記排出トレイに配置された第２の回転軸を中心に、前記排出トレイに折り畳まれる第１の折り畳み姿勢と前記排出トレイから前記筐体の外部に延びる第１の延長姿勢との間を回転する第１の補助トレイと、
前記排出トレイを前記開放姿勢に保持するための保持部であって、前記排出トレイが前記収納姿勢に配置された状態で前記第１の折り畳み姿勢に配置された前記第１の補助トレイを押さえることにより、前記第１の補助トレイを前記第１の折り畳み姿勢に保持する前記保持部と、を備える
プリンタ。
【請求項２】
前記第１の回転軸は、前記排出トレイの端部に配置され、
前記保持部は、前記排出口の周縁部に配置されており、
前記排出トレイは、前記開放姿勢に配置された際に前記排出トレイの前記端部が前記保持部に当たることにより、前記開放姿勢に保持される
請求項１に記載のプリンタ。
【請求項３】
前記第２の回転軸は、前記第１の補助トレイの第１の端部に配置されており、
前記保持部は、前記排出トレイが前記収納姿勢に配置された状態で、前記折り畳み姿勢に配置された前記第１の補助トレイの前記第１の端部と反対側の第２の端部を押さえることにより、前記第１の補助トレイを前記折り畳み姿勢に保持する
請求項１又は２に記載のプリンタ。
【請求項４】
前記プリンタは、さらに、前記第１の補助トレイの前記第２の端部に配置された第３の回転軸を中心に、前記第１の補助トレイに折り畳まれる第２の折り畳み姿勢と前記第１の補助トレイから前記筐体の外部に延びる第２の延長姿勢との間を回転する第２の補助トレイを備え、
前記保持部は、前記排出トレイが前記収納姿勢に配置されるとともに前記第２の補助トレイが前記第２の折り畳み状態に配置された状態で、前記第１の折り畳み姿勢に配置された前記第１の補助トレイの前記第２の端部を押さえることにより、前記第１の補助トレイ及び前記第２の補助トレイをそれぞれ前記第１の折り畳み姿勢及び前記第２の折り畳み姿勢に保持する
請求項３に記載のプリンタ。
【発明の詳細な説明】
【技術分野】
【０００１】
本発明は、記録媒体に印刷を行うためのプリンタに関する。
【背景技術】
【０００２】
記録媒体に印刷を行うためのプリンタが知られている（例えば、特許文献１参照）。プリンタの筐体の側面には、記録媒体を筐体の外部に排出するための排出口が設けられている。この排出口には、排出口から排出された記録媒体を載置するための排出トレイが回転自在に支持されている。排出トレイは、排出口の下端部に配置された回転軸を中心に、収納姿勢と開放姿勢との間を回転することができる。排出トレイは、収納姿勢では排出口を覆うように排出口に収納され、開放姿勢では排出口を開放するように排出口の下端部から筐体の外部に延びる。
【０００３】
さらに、排出トレイには、排出トレイによる記録媒体の載置を補助するための補助トレイが回転自在に支持されている。補助トレイは、排出トレイの載置面に配置された回転軸を中心に、折り畳み姿勢と延長姿勢との間を回転することができる。補助トレイは、折り畳み姿勢では排出トレイの載置面に折り畳まれ、延長姿勢では排出トレイの先端部からさらに筐体の外部に延びる。
【０００４】
記録媒体を印刷する際には、排出トレイを収納姿勢から開放姿勢に回転させる。記録媒体のサイズが比較的小さい（例えば、葉書サイズ又はＢ５サイズ等）場合には、補助トレイを折り畳み姿勢に配置させた状態でも、排出口から排出された記録媒体を排出トレイの載置面上に安定して載置することができる。
【０００５】
一方、記録媒体のサイズが比較的大きい（例えば、Ａ４サイズ又はＡ３サイズ等）場合には、補助トレイを折り畳み姿勢に配置させた状態では、排出口から排出された記録媒体を排出トレイの載置面上に安定して載置することができない。そのため、補助トレイを折り畳み姿勢から延長姿勢に回転させることにより、排出口から排出された記録媒体を排出トレイ及び補助トレイの各載置面上に安定して載置することができる。
【先行技術文献】
【特許文献】
【０００６】
【特許文献１】特開平１０−３１０２６４号公報
【発明の概要】
【発明が解決しようとする課題】
【０００７】
上述した従来のプリンタでは、補助トレイが折り畳み姿勢に配置された状態で、排出トレイを開放姿勢から収納姿勢に回転させた際に、補助トレイの先端部がはずみで排出トレイの載置面から浮き上がることにより、補助トレイがガタついてしまうという課題が生じる。
【０００８】
本発明は、上述した課題を解決しようとするものであり、その目的は、排出トレイを排出口に収納した際に、補助トレイ（第１の補助トレイ）がガタつくのを抑制することができるプリンタを提供することである。
【課題を解決するための手段】
【０００９】
上記目的を達成するために、本発明の一態様に係るプリンタは、記録媒体に印刷を行うためのプリンタであって、前記記録媒体を外部に排出するための排出口を有する筐体と、前記排出口の周縁部に配置された第１の回転軸を中心に、前記排出口を覆うように前記排出口に収納される収納姿勢と前記排出口を開放するように前記排出口から前記筐体の外部に延びる開放姿勢との間を回転する排出トレイと、前記排出トレイに配置された第２の回転軸を中心に、前記排出トレイに折り畳まれる第１の折り畳み姿勢と前記排出トレイから前記筐体の外部に延びる第１の延長姿勢との間を回転する第１の補助トレイと、前記排出トレイを前記開放姿勢に保持するための保持部であって、前記排出トレイが前記収納姿勢に配置された状態で前記第１の折り畳み姿勢に配置された前記第１の補助トレイを押さえることにより、前記第１の補助トレイを前記第１の折り畳み姿勢に保持する前記保持部と、を備える。
【００１０】
本態様によれば、第１の補助トレイは、排出トレイが収納姿勢に配置された際に、排出トレイを開放姿勢に保持するための保持部によって押さえられることにより、第１の折り畳み姿勢に保持される。これにより、排出トレイを排出口に収納した際に、第１の補助トレイがガタつくのを抑制することができる。
【００１１】
さらに、排出トレイが収納姿勢に配置される動作に連動して、保持部が第１の補助トレイを押さえるので、簡易な操作で第１の補助トレイを第１の折り畳み姿勢に保持することができる。
【００１２】
さらに、第１の補助トレイを折り畳み姿勢に保持する際に、排出トレイを収納姿勢に保持するための保持部を利用するので、第１の補助トレイを折り畳み姿勢に保持するための専用の部品等を設ける必要がない。その結果、プリンタの構造を簡素化することができるとともに、プリンタの部品点数を低減することができる。
【００１３】
例えば、本発明の一態様に係るプリンタにおいて、前記第１の回転軸は、前記排出トレイの端部に配置され、前記保持部は、前記排出口の周縁部に配置されており、前記排出トレイは、前記開放姿勢に配置された際に前記排出トレイの前記端部が前記保持部に当たることにより、前記開放姿勢に保持されるように構成してもよい。
【００１４】
本態様によれば、排出トレイが開放姿勢に配置された際に、排出トレイの端部が保持部に当たることにより、排出トレイを開放姿勢に保持することができる。
【００１５】
例えば、本発明の一態様に係るプリンタにおいて、前記第２の回転軸は、前記第１の補助トレイの第１の端部に配置されており、前記保持部は、前記排出トレイが前記収納姿勢に配置された状態で、前記折り畳み姿勢に配置された前記第１の補助トレイの前記第１の端部と反対側の第２の端部を押さえることにより、前記第１の補助トレイを前記折り畳み姿勢に保持するように構成してもよい。
【００１６】
本態様によれば、排出トレイが収納姿勢に配置された際に、第１の補助トレイの第２の端部が保持部によって押さえられることにより、第１の補助トレイが折り畳み姿勢に保持される。これにより、排出トレイを排出口に収納した際に、第１の補助トレイがガタつくのを抑制することができる。
【００１７】
例えば、本発明の一態様に係るプリンタにおいて、前記プリンタは、さらに、前記第１の補助トレイの前記第２の端部に配置された第３の回転軸を中心に、前記第１の補助トレイに折り畳まれる第２の折り畳み姿勢と前記第１の補助トレイから前記筐体の外部に延びる第２の延長姿勢との間を回転する第２の補助トレイを備え、前記保持部は、前記排出トレイが前記収納姿勢に配置されるとともに前記第２の補助トレイが前記第２の折り畳み状態に配置された状態で、前記第１の折り畳み姿勢に配置された前記第１の補助トレイの前記第２の端部を押さえることにより、前記第１の補助トレイ及び前記第２の補助トレイをそれぞれ前記第１の折り畳み姿勢及び前記第２の折り畳み姿勢に保持するように構成してもよい。
【００１８】
本態様によれば、第１の補助トレイに加えて第２の補助トレイが設けられているので、排出口から排出される記録媒体が比較的大きいサイズ（例えば、Ａ３サイズよりも長さの長いサイズ等）を有する場合には、第１の補助トレイ及び第２の補助トレイをそれぞれ第１の延長姿勢及び第２の延長姿勢に配置することにより、排出口から排出された記録媒体を排出トレイ、第１の補助トレイ及び第２の補助トレイの各載置面上に安定して載置することができる。さらに、排出トレイが収納姿勢に配置された際に、第１の補助トレイの第２の端部が保持部によって押さえられることにより、第１の補助トレイ及び第２の補助トレイがそれぞれ第１の折り畳み姿勢及び第２の折り畳み姿勢に保持される。これにより、排出トレイを排出口に収納した際に、第１の補助トレイ及び第２の補助トレイがそれぞれガタつくのを抑制することができる。
【発明の効果】
【００１９】
本発明の一態様に係るプリンタによれば、排出トレイを排出口に収納した際に、第１の補助トレイがガタつくのを抑制することができる。
【図面の簡単な説明】
【００２０】
【図１】実施の形態１に係るプリンタの外観を示す斜視図である。
【図２】排出トレイが開放姿勢に配置された状態での、実施の形態１に係るプリンタの外観を示す斜視図である。
【図３】図１中のＡ−Ａ線により切断したプリンタの断面斜視図である。
【図４】図１中のＡ−Ａ線により切断したプリンタの一部を示す断面図である。
【図５】図２中のＢ−Ｂ線により切断したプリンタの断面図である。
【図６】保持部を拡大して示す断面斜視図である。
【図７】補助トレイが延長姿勢に配置された状態での、実施の形態１に係るプリンタの外観を示す斜視図である。
【図８】図７中のＣ−Ｃ線により切断したプリンタの断面図である。
【図９】実施の形態２に係るプリンタの外観の一部を示す斜視図である。
【図１０】排出トレイが収納姿勢に配置された状態での、プリンタの一部を示す断面図である。
【図１１】図１０の状態から、排出トレイが開放姿勢に配置されるとともに第１の補助トレイが延長姿勢に配置された状態での、プリンタの一部を示す断面図である。
【図１２】図１１の状態から、第２の補助トレイが延長姿勢に配置された状態での、プリンタの一部を示す断面図である。
【発明を実施するための形態】
【００２１】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２２】
（実施の形態１）
［プリンタの全体構成］
まず、図１を参照しながら、実施の形態１に係るプリンタ２の全体構成について説明する。図１は、実施の形態１に係るプリンタの外観を示す斜視図である。
【００２３】
図１に示すように、プリンタ２は、例えば、記録媒体４にインクを吐出することにより印刷を行うインクジェットプリンタである。なお、記録媒体４は、例えば普通紙、写真用紙又は印刷可能なレーベル面を有するＣＤ−ＲＯＭ（Ｃｏｍｐａｃｔ  Ｄｉｓｃ  Ｒｅａｄ  Ｏｎｌｙ  Ｍｅｍｏｒｙ）等である。
【００２４】
プリンタ２は、筐体６を備えている。筐体６の背面６ａの上端部には、印刷すべき記録媒体４を筐体６の内部に供給するための供給口８が設けられている。供給口８には、記録媒体４が上方より差し込まれる。筐体６の背面６ａの上端部には、さらに、供給口８に差し込まれた記録媒体４を後方より支持するための供給トレイ１０が取り付けられている。
【００２５】
筐体６の前面６ｂには、印刷された記録媒体４を筐体６の外部に排出するための略矩形状の排出口１２が設けられている。この排出口１２には、排出口１２から排出された記録媒体４を載置するための排出トレイ１４が開閉自在に設けられている。排出トレイ１４は、排出口１２の形状に対応して略矩形状に構成されている。なお、排出トレイ１４には、後述する図２に示すように、排出トレイ１４による記録媒体４の載置を補助するための補助トレイ１６（第１の補助トレイを構成する）が設けられている。排出トレイ１４及び補助トレイ１６の各々の構成については後述する。
【００２６】
筐体６の上面６ｃには、プリンタ２の操作（例えば、電源のオン・オフ又は印刷の開始等）を実行するための操作パネル１８が設けられている。
【００２７】
なお、図示しないが、筐体６の内部には、搬送機構及びキャリッジ等が配置されている。搬送機構は、供給口８から筐体６の内部に供給された記録媒体４を排出口１２に向けて搬送するための機構である。キャリッジには、複数のインクカートリッジが交換自在に搭載されている。キャリッジが記録媒体４の搬送方向と略直交する方向に往復移動している状態で、複数のインクカートリッジの各々に充填されたインクが記録媒体４に吐出されることにより、記録媒体４に印刷が施される。
【００２８】
［排出トレイの構成］
次に、図１〜図６を参照しながら、上述した排出トレイ１４の構成について説明する。図２は、排出トレイが開放姿勢に配置された状態での、実施の形態１に係るプリンタの外観を示す斜視図である。図３は、図１中のＡ−Ａ線により切断したプリンタの断面斜視図である。図４は、図１中のＡ−Ａ線により切断したプリンタの一部を示す断面図である。図５は、図２中のＢ−Ｂ線により切断したプリンタの断面図である。図６は、保持部を拡大して示す断面斜視図である。
【００２９】
排出トレイ１４は、排出口１２の下端部１２ａ（排出口１２の周縁部を構成する）に配置された一対の第１の回転軸２０を中心に、収納姿勢（図１参照）と開放姿勢（図２参照）との間を回転自在に排出口１２に支持されている。図２に示すように、一対の第１の回転軸２０は、排出トレイ１４の第１の端部１４ａにおけるＸ軸方向の両端部にそれぞれ設けられている。一対の第１の回転軸２０はそれぞれ、排出口１２の下端部１２ａにおけるＸ軸方向の両端部に設けられた孔２２に回転自在に支持されている。なお、排出トレイ１４の内面には、排出口１２から排出された記録媒体４を載置するための載置面２４が形成されている。
【００３０】
図１、図３及び図４に示すように、排出トレイ１４は、収納姿勢では、排出口１２を覆うように排出口１２に収納される。このとき、排出トレイ１４の載置面２４は、筐体６の内部を向くように配置される。
【００３１】
図２及び図５に示すように、排出トレイ１４は、開放姿勢では、排出口１２の下端部１２ａから筐体６の外部に略水平方向（略Ｙ軸方向）に延びるように排出口１２を開放する。このとき、排出トレイ１４の載置面２４は、上側を向くように配置される。
【００３２】
図３〜図６に示すように、排出口１２の下端部１２ａには、排出トレイ１４を開放姿勢に保持するための保持部２６が設けられている。保持部２６は、筐体６の底部６ｄの排出トレイ１４側の端部に配置されており、Ｘ軸方向に長尺状に延びるプレート状に構成されている。排出トレイ１４が収納姿勢から開放姿勢まで回転した際に、排出トレイ１４の第１の端部１４ａが保持部２６の下面に当たることにより、排出トレイ１４が開放姿勢に保持される。
【００３３】
［補助トレイの構成］
次に、図２〜図８を参照しながら、上述した補助トレイ１６の構成について説明する。図７は、補助トレイが延長姿勢に配置された状態での、実施の形態１に係るプリンタの外観を示す斜視図である。図８は、図７中のＣ−Ｃ線により切断したプリンタの断面図である。
【００３４】
補助トレイ１６は、排出トレイ１４の第２の端部１４ｂ（すなわち、第１の端部１４ａと反対側の端部）の近傍に配置された一対の第２の回転軸２８を中心に、折り畳み姿勢（第１の折り畳み姿勢を構成する）（図２参照）と延長姿勢（第１の延長姿勢を構成する）（図７参照）との間を回転自在に排出トレイ１４に支持されている。図２に示すように、一対の第２の回転軸２８は、補助トレイ１６の第１の端部１６ａにおけるＸ軸方向の両端部にそれぞれ設けられている。一対の第２の回転軸２８はそれぞれ、排出トレイ１４の載置面２４に形成されたリブ３０に設けられた孔３２に回転自在に支持されている。なお、補助トレイ１６の大きさは排出トレイ１４の大きさよりも小さく、その内面には、排出口１２から排出された記録媒体４を載置するための載置面３４が形成されている。
【００３５】
図２〜図５に示すように、補助トレイ１６は、折り畳み姿勢では、排出トレイ１４の載置面２４に折り畳まれる。このとき、補助トレイ１６の載置面３４は、排出トレイ１４の載置面２４と対向するように配置される。
【００３６】
図７及び図８に示すように、補助トレイ１６は、延長姿勢では、排出トレイ１４の第２の端部１４ｂからさらに筐体６の外部に延びる。このとき、補助トレイ１６の載置面３４は、上側を向くように配置される。なお、排出トレイ１４の載置面２４には、突起（図示せず）が設けられている。補助トレイ１６は、延長姿勢に配置された際に、載置面３４と反対側の面３６がこの突起に当たることにより、排出トレイ１４に対して傾斜して延びるようになる。
【００３７】
排出口１２が開放された状態から排出トレイ１４を排出口１２に収納する際には、まず、図５に示すように、補助トレイ１６を折り畳み姿勢に配置させる。その後、図４に示すように、排出トレイ１４を開放姿勢から収納姿勢に回転させる。このとき、補助トレイ１６の第２の端部１６ｂ（すなわち、第１の端部１６ａと反対側の端部）は、保持部２６の側面によってＹ軸方向に押さえられる。これにより、補助トレイ１６が折り畳み姿勢に保持される。
【００３８】
ここで、上述した排出トレイ１４及び補助トレイ１６の使用方法について説明する。記録媒体４を印刷する際には、ユーザは、排出トレイ１４を収納姿勢から開放姿勢に回転させる。記録媒体４のサイズが比較的小さい（例えば、葉書サイズ又はＢ５サイズ等）場合には、補助トレイ１６を折り畳み姿勢に配置させた状態でも、排出口１２から排出された記録媒体４を排出トレイ１４の載置面２４上に安定して載置することができる。
【００３９】
一方、記録媒体４のサイズが比較的大きい（例えば、Ａ４サイズ又はＡ３サイズ等）場合には、補助トレイ１６を折り畳み姿勢に配置させた状態では、排出口１２から排出された記録媒体４を排出トレイ１４の載置面２４上に安定して載置することができない。そのため、ユーザが補助トレイ１６を折り畳み姿勢から延長姿勢に回転させることにより、排出口１２から排出された記録媒体４を排出トレイ１４及び補助トレイ１６の各載置面２４，３４上に安定して載置することができる。
【００４０】
［効果］
次に、本実施の形態のプリンタ２により得られる効果について説明する。上述したように、排出トレイ１４が収納姿勢に配置された状態で、折り畳み姿勢に配置された補助トレイ１６の第２の端部１６ｂは、保持部２６の側面によってＹ軸方向に押さえられる。これにより、補助トレイ１６を折り畳み姿勢に保持することができる。その結果、排出トレイ１４を開放姿勢から収納姿勢に回転させた際に、補助トレイ１６の第２の端部１６ｂがはずみで排出トレイ１４の載置面２４から浮き上がることがなく、補助トレイ１６のガタつきを抑制することができる。
【００４１】
さらに、排出トレイ１４が収納姿勢に配置される動作に連動して、保持部２６が補助トレイ１６の第２の端部１６ｂを押さえるので、簡易な操作で補助トレイ１６を折り畳み姿勢に保持することができる。
【００４２】
さらに、補助トレイ１６を折り畳み姿勢に保持する際に、排出トレイ１４を収納姿勢に保持するための保持部２６を利用するので、補助トレイ１６を折り畳み姿勢に保持するための専用の部品等を設ける必要がない。その結果、プリンタ２の構造を簡素化することができるとともに、プリンタ２の部品点数を低減することができる。
【００４３】
（実施の形態２）
次に、図９〜図１２を参照しながら、実施の形態２に係るプリンタ２Ａの構成について説明する。図９は、実施の形態２に係るプリンタの外観の一部を示す斜視図である。図１０は、排出トレイが収納姿勢に配置された状態での、プリンタの一部を示す断面図である。図１１は、図１０の状態から、排出トレイが開放姿勢に配置されるとともに第１の補助トレイが延長姿勢に配置された状態での、プリンタの一部を示す断面図である。図１２は、図１１の状態から、第２の補助トレイが延長姿勢に配置された状態での、プリンタの一部を示す断面図である。なお、本実施の形態において、上記実施の形態１と同一の構成要素には同一の符号を付して、その説明を省略する。
【００４４】
図９に示すように、本実施の形態のプリンタ２Ａには、２枚の補助トレイ、すなわち第１の補助トレイ１６Ａ及び第２の補助トレイ３８が設けられている。なお、第１の補助トレイ１６Ａの構成は、上記実施の形態１で説明した補助トレイ１６の構成とほぼ同一である。
【００４５】
第２の補助トレイ３８は、第１の補助トレイ１６Ａの第２の端部１６ｂの近傍に配置された一対の第３の回転軸４０に回転自在に支持されている。すなわち、第２の補助トレイ３８は、第１の補助トレイ１６Ａが延長姿勢に配置された状態で、一対の第３の回転軸４０を中心に、折り畳み姿勢（第２の折り畳み姿勢を構成する）（図１１参照）と延長姿勢（第２の延長姿勢を構成する）（図９及び図１２参照）との間を回転することができる。図９に示すように、一対の第３の回転軸４０は、第２の補助トレイ３８の第１の端部３８ａにおけるＸ軸方向の両端部にそれぞれ設けられている。一対の第３の回転軸４０はそれぞれ、第１の補助トレイ１６Ａの載置面３４に形成されたリブ４２に設けられた孔４４に回転自在に支持されている。なお、第２の補助トレイ３８の大きさは第１の補助トレイ１６Ａの大きさとほぼ同一であり、その内面には、排出口１２から排出された記録媒体４（図１参照）を載置するための載置面４６が形成されている。
【００４６】
図１０及び図１１に示すように、第２の補助トレイ３８は、折り畳み姿勢では、第１の補助トレイ１６Ａの載置面３４に折り畳まれる。このとき、第２の補助トレイ３８の載置面４６は、第１の補助トレイ１６Ａの載置面３４と対向するように配置される。
【００４７】
図９及び図１２に示すように、第２の補助トレイ３８は、延長姿勢では、第１の補助トレイ１６Ａの第２の端部１６ｂからさらに筐体６の外部に延びる。このとき、第２の補助トレイ３８の載置面４６は、上側を向くように配置される。なお、第２の補助トレイ３８は、延長姿勢に配置された際に、第１の補助トレイ１６Ａに対して略平行に延びるようになる。
【００４８】
排出口１２が開放された状態から排出トレイ１４を排出口１２に収納する際には、まず、図１１に示すように、第２の補助トレイ３８を折り畳み姿勢に配置させる。その後、第１の補助トレイ１６Ａを延長姿勢から折り畳み姿勢に回転させる。さらにその後、図１０に示すように、排出トレイ１４を開放姿勢から収納姿勢に回転させる。このとき、第１の補助トレイ１６Ａの第２の端部１６ｂは、保持部２６の側面によってＹ軸方向に押さえられる。これにより、第１の補助トレイ１６Ａ及び第２の補助トレイ３８がそれぞれ折り畳み姿勢に保持される。
【００４９】
本実施の形態のプリンタ２Ａでは、２枚の補助トレイ、すなわち第１の補助トレイ１６Ａ及び第２の補助トレイ３８が設けられているので、排出口１２から排出される記録媒体４が比較的大きいサイズ（例えば、Ａ３サイズよりも長さの長いサイズ等）を有する場合には、第１の補助トレイ１６Ａ及び第２の補助トレイ３８をそれぞれ延長姿勢に配置することにより、排出口１２から排出された記録媒体４を排出トレイ１４、第１の補助トレイ１６Ａ及び第２の補助トレイ３８の各載置面２４，３４，４６上に安定して載置することができる。
【００５０】
（変形例）
以上、本発明の実施の形態に係るプリンタについて説明したが、本発明は、上記実施の形態に限定されるものではない。例えば、上記実施の形態１及び２を組み合わせてもよい。
【００５１】
上記各実施の形態では、プリンタ２をインクジェットプリンタで構成したが、これに限定されず、例えばプリンタ２を複合機等で構成してもよい。
【００５２】
上記各実施の形態では、保持部２６の下面を平坦状に構成したが、これに限定されず、例えば保持部２６の下面にリブ（図示せず）を設けることもできる。このリブのＺ軸方向における高さに応じて、開放姿勢に配置された排出トレイ１４の水平方向（Ｙ軸方向）に対する傾斜角度を変更することができる。
【産業上の利用可能性】
【００５３】
本発明のプリンタは、例えば、記録媒体にインクを吐出することにより印刷を行うインクジェットプリンタ等として適用することができる。
【符号の説明】
【００５４】
２，２Ａ  プリンタ
４  記録媒体
６  筐体
６ａ  背面
６ｂ  前面
６ｃ  上面
６ｄ  底部
８  供給口
１０  供給トレイ
１２  排出口
１２ａ  下端部
１４  排出トレイ
１４ａ，１６ａ，３８ａ  第１の端部
１４ｂ，１６ｂ，３８ｂ  第２の端部
１６  補助トレイ
１６Ａ  第１の補助トレイ
１８  操作パネル
２０  第１の回転軸
２２，３２，４４  孔
２４，３４，４６  載置面
２６  保持部
２８  第２の回転軸
３０，４２  リブ
３６  面
３８  第２の補助トレイ
４０  第３の回転軸
【図１】
2015205432.tif 000003
【図２】
2015205432.tif 000004
【図３】
2015205432.tif 000005
【図４】
2015205432.tif 000006
【図５】
2015205432.tif 000007
【図６】
2015205432.tif 000008
【図７】
2015205432.tif 000009
【図８】
2015205432.tif 000010
【図９】
2015205432.tif 000011
【図１０】
2015205432.tif 000012
【図１１】
2015205432.tif 000013
【図１２】
2015205432.tif 000014